(57)【要約】【課題】  簡単な操作で倍率を切り換えることができる二段変倍双眼鏡を提供する。【解決手段】  二段変倍双眼鏡１０は、左右の鏡筒１１，１２内に、フォーカスレンズ２８，２９が光軸３０方向に移動自在に設けられるとともに、移動枠３１，３２が光軸３０に交差する方向に移動自在に設けられ、移動枠３１，３２に倍率変換レンズ４８，４９が設けられ、フォーカスレンズ２８，２９及び移動枠３１，３２を移動する倍率変換ツマミ３６が鏡筒１１，１２の連結中央部に設けられ、倍率変換ツマミ３６を操作することにより、移動枠３１，３２を移動して、倍率変換レンズ４８，４９を光軸３０上の高倍位置と、光軸３０から退避した低倍位置とのいずれか一方に配置し、同時に、フォーカスレンズ２８，２９を移動して焦点を合わせるように構成した。【選択図】  図１
2005315936.tif 000002
【特許請求の範囲】
【請求項１】
左右の鏡筒内に、フォーカスレンズが光軸方向に移動自在に設けられるとともに、移動枠が光軸に交差する方向に移動自在に設けられ、この移動枠に倍率変換レンズが設けられ、前記フォーカスレンズ及び前記移動枠を移動する倍率変換ツマミが左右の鏡筒の連結中央部に設けられ、
この倍率変換ツマミを操作することにより、移動枠を移動して、倍率変換レンズを光軸上の高倍位置と、光軸から退避した低倍位置とのいずれか一方に配置可能となるように構成し、
同時に、フォーカスレンズを移動して焦点を合わせられるように構成したことを特徴とする二段変倍双眼鏡。
【発明の詳細な説明】
【技術分野】
【０００１】
本発明は、二段の変倍に変化させうる双眼鏡に関し、さらに詳しくはこの倍率変化時にみかけ視界の大きさが変化しないように考慮した二段変倍双眼鏡に関する。
【背景技術】
【０００２】
従来の変倍双眼鏡には、ズームツマミやズームレバーを回動して連続的に倍率を変化させるものがあるが、これは倍率を変化させる際の瞬敏性が不足する傾向にある。
倍率を瞬敏に変化させる変倍双眼鏡として、二段変倍双眼鏡が知られている。この二段変倍双眼鏡は、倍率変化を焦点調整ツマミの摺動操作で行い、焦点調整は焦点調整ツマミの回動操作にて行うものである（例えば、特許文献１参照。）。
【特許文献１】実開昭６３−６５０１３号公報
【０００３】
特許文献１の二段変倍双眼鏡によれば、光軸方向に摺動及び回動可能になる焦点調整ツマミを設け、所定倍率（例えば１０倍）のときは、この焦点調整ツマミを一定方向へ摺動させて倍率変化レンズを光軸上から外しておき、この状態で焦点調整ツマミを回動して焦点調整を行う。
また、別の倍率（例えば２０倍）にするときは、焦点調整ツマミを逆方向に摺動して倍率変換レンズを光軸上に位置させ、この状態で焦点調整ツマミを回動して焦点調整を行う。
【０００４】
この二段変倍双眼鏡によれば、対象物に焦点を合わせるために焦点調整ツマミを操作した際には、倍率変換レンズが一旦定めた設定位置から移動しないように構成している。
したがって再度元の倍率に戻すときには、焦点調整ツマミを再び逆方向へ摺動させることにより倍率変更がおこなわれ、焦点調整は前述と同様の操作で行うことになる。
【発明の開示】
【発明が解決しようとする課題】
【０００５】
しかし、この二段変倍双眼鏡によれば、倍率を切り換える際に、先ず倍率変換レンズを移動するために焦点調整ツマミを摺動させる第１の操作と、ついで焦点調整を行うために焦点調整ツマミを回動するという第２の操作が必要である。
このため、二段変倍双眼鏡の倍率を切り換える際に、比較的手間がかかり、この観点から改良の余地が残されていた。
【０００６】
本発明は、簡単な操作で倍率を切り換えることができる二段変倍双眼鏡を提供することを目的とする。
【課題を解決するための手段】
【０００７】
前述した目的を達成するために、本発明の二段変倍双眼鏡は、左右の鏡筒内に、フォーカスレンズが光軸方向に移動自在に設けられるとともに、移動枠が光軸に交差する方向に移動自在に設けられ、この移動枠に倍率変換レンズが設けられ、前記フォーカスレンズ及び前記移動枠を移動する倍率変換ツマミが左右の鏡筒の連結中央部に設けられ、  この倍率変換ツマミを操作することにより、移動枠を移動して、倍率変換レンズを光軸上の高倍位置と、光軸から退避した低倍位置とのいずれか一方に配置可能となるように構成し、同時に、フォーカスレンズを移動して焦点を合わせられるように構成したことを特徴とする。
【０００８】
本発明の二段変倍双眼鏡によれば、倍率変換ツマミを操作することで、左右の倍率変換レンズを高倍位置と低倍位置とのいずれか一方に配置するとともに、フォーカスレンズを移動させて焦点を合わせることができる。
このように、倍率切換え時の焦点ズレを、倍率切り換えと同時に調整できる。これにより、対象物に焦点を合わせた状態を保ちながら、倍率を切り換えることができる。
【０００９】
また、左右の鏡筒内に移動枠を設け、左右の移動枠に倍率変換レンズを設けるだけの簡素な構成なので、単倍率の双眼鏡とほとんど変わらない大きさで二段倍率の調整が可能となる。
【発明の効果】
【００１０】
本発明の二段変倍双眼鏡によれば、対象物に焦点を合わせた状態を保ちながら、倍率を切り換えるため、簡単な操作で倍率切り換えができるという効果が得られる。
【発明を実施するための最良の形態】
【００１１】
以下、本発明に係る実施形態を図面に基づいて詳細に説明する。図１は本発明に係る二段変倍双眼鏡を示す断面図である。
なお、二段変倍双眼鏡の構成を理解し易くするために図１の左半分に低倍率（例えば１０倍）の状態を示し、右半分に高倍率（例えば２０倍）の状態を示すこととする。
【００１２】
図１に示す二段変倍双眼鏡１０は、左右の鏡筒（以下、「ボディ」という）１１，１２の前端部に左右の対物レンズユニット１３，１４が設けられ、左右のボディ１１，１２の後端部に左右のプリズム枠１５，１６が設けられ、左プリズム枠１５に一対のプリズム１８，１９が内蔵され、右プリズム枠１６に一対のプリズム２１，２２が内蔵され、左右のプリズム枠１５，１６の後端部に左右の接眼レンズユニット２４，２５が設けられ、左右のボディ１１，１２内に左右の移動筒２６，２７が光軸３０の方向（矢印Ａ−Ａ方向）に移動自在に設けられ、左右の移動筒２６，２７に左右のフォーカスレンズ２８，２９が設けられ、左プリズム枠１５のプリズム１８，１９間の間隔に左移動枠３１が設けられ、右プリズム枠１６のプリズム２１，２２間の間隔に右移動枠３２が設けられている。
【００１３】
さらに、この二段変倍双眼鏡１０は、左右のボディ１１，１２間に、焦点を調整する視度ツマミ３５が設けられ、視度ツマミ３５の前側に、倍率を切り換える変倍用ツマミ３６が設けられている。
【００１４】
変倍用ツマミ３６を回動すると、変倍用ツマミ３６の縦溝に嵌合した連結ビス３８を介して、変倍用ツマミ３６に結合されているカム筒３９が回転するように構成されている。
カム筒３９のカム溝には、移動棒４１と嵌合した連結ピン４２が嵌合されている。これにより、カム筒３９が回転すると、連結ピン４２を介して移動棒４１が光軸３０の方向に移動する。
【００１５】
移動棒４１の後端部に溝が設けられ、この溝にビス４３が取り付けられ、ビス４３は、ヘリコイド環４４に取り付けられている。
ヘリコイド環４４には、ヘリコイドねじ嵌合で、移動環４５がねじ嵌合されている。移動環４５には、移動長棒４６が嵌合されている。
移動長棒４６の前端部に、連結枠４７がねじ結合により取り付けられている。連結枠４７は、移動筒２６，２７に嵌合されている。
【００１６】
連結枠４７には、引張りばね部材（連結部材）２０を介して移動枠３１，３２が連結されている。これにより、連結枠４７の位置関係において、移動枠３１，３２の位置が決定される。
移動枠３１，３２の内側半分の部位に、左右の倍率変換レンズ４８，４９が設けられている。
【００１７】
なお、中心軸５１には、各連結ピン４２と、連結ビス３８とに嵌合するように縦及び横の直線溝が設けられている。これらの縦及び横の直線溝は、各部材が上述したように作動するように形成されている。
【００１８】
以下、図１に基づいて二段変倍双眼鏡１０の動作を、低倍率の状態（図中左半分の状態）から高倍率の状態（右半分の状態）に切り換える例に基づいて説明する。
変倍用ツマミ３６を回動することにより、変倍用ツマミ３６の溝に嵌合した連結ビス３８が回動する。連結ビス３８が回動することにより、連結ビス３８とともにカム筒３９が回動する。
【００１９】
カム筒３９が回動することにより、カム筒３９のカム溝に嵌合した連結ピン４２がカム筒３９とともに回動する。
この連結ピン４２は、中心軸５１の縦溝に嵌合し、かつ移動棒４１に貫通設置されている。連結ピン４２がカム筒３９とともに回動することで、連結ピン４２の働きにより、移動棒４１がＰ１位置からＰ２位置まで移動する。
【００２０】
連結枠４７がＰ３位置からＰ４位置まで移動し、連結枠４７とともに左右のフォーカスレンズ２８，２９がＰ５位置からＰ６位置まで移動する。
同時に、連結枠４７がＰ３位置からＰ４位置まで移動することで、引張りばね部材２０の伸びが解除され、この引張りばね部材２０で移動枠３１，３２をＰ７位置からＰ８位置まで移動する。
【００２１】
引張りばね部材２０の全長の設定により、連結枠４７の移動に伴い。移動枠３１，３２がＰ２位置まで押し付けられる形で移動し、引張りばね部材２０の力でＰ８位置で押し付け固定される。
【００２２】
これにより、左右の倍率交換レンズ４８，４９が光軸３０上に配置され、二段変倍双眼鏡１０が低倍率の状態（図１の左半分の状態）から高倍率の状態（右半分の状態）に切り換わる。
【００２３】
一方、二段変倍双眼鏡１０を高倍率の状態（右半分の状態）から低倍率の状態（左半分の状態）に切り換える際には、変倍用ツマミ３６を、上述した方向と逆方向に回動する。
これにより、倍率変換レンズ４８，４９が光軸３０上から外れた位置に配置され、二段変倍双眼鏡１０が高倍率の状態（右半分の状態）から低倍率の状態（左半分の状態）に切り換わる。
【００２４】
以上説明したように、本発明の二段変倍双眼鏡１０によれば、倍率変換ツマミ３６を操作することで、左右の倍率変換レンズ４８，４９を高倍位置と低倍位置とのいずれか一方に配置するとともに、フォーカスレンズ２８，２９を移動させて焦点を合わせることができる。
これにより、倍率切換え時の焦点ズレを、倍率切り換えと同時に調整でき、対象物に焦点を合わせた状態を保ちながら、双眼鏡の倍率を切り換えることができる。
【００２５】
また、左右のボディ１１，１２内に移動枠を設け、左右の移動枠３１，３２に倍率変換レンズ４８，４９を設けるだけの簡素な構成なので、単倍率の双眼鏡とほとんど変わらない大きさで二段倍率を可能にできる。
【００２６】
ところで、二段変倍双眼鏡１０の使用時に、近距離位置から∞位置の範囲において焦点調整を行う際には、視度ツマミ３５を回動する。これにより、視度ツマミ３５とともに、ツマミ中心軸３５Ａが回動する。
【００２７】
ツマミ中心軸３５Ａには縦溝が設けられており、この縦溝を通してビス４３が設置されている。よって、ツマミ中心軸３５Ａとともに、ビス４３が回動する。
このビス４３は、ヘリコイド環４４に、ねじ固着されているから、ビス４３とともに、ヘリコイド環４４も回動する。
【００２８】
移動環４５は、移動長棒４６により回動が規制されているため、ヘリコイドねじの働きにより、前後方向に移動する。
これにより、移動長棒４６及び連結枠４７を介してフォーカスレンズが前後方向（すなわち、光軸３０方向）に移動する。フォーカスレンズが前後方向（すなわち、光軸３０方向）に移動することで焦点を調整する。
【００２９】
このとき、引張りばね部材２０の働きにより、移動枠３１，３２が所望位置に静止された状態を保つように設定されている。
よって、視度ツマミ３５で焦点を調整する際に、倍率が切り換わる虞はない。
ここで、焦点調整の際に、移動枠３１，３２を所望位置に静止する手段として、電磁石やモータを使用することも可能である。
【００３０】
引張りばね部材２０の全長は、Ｐ７では、引張り力で固定され、Ｐ８位置では、押し付け力で固定されるように設定されており、かつ引張り力、押し付け力の保持される範囲内でのみ、焦点調整のための移動筒２６，２７が移動し焦点調整が行われる。
【００３１】
二段変倍双眼鏡１０によれば、光束の範囲が小さくなり、対物有効径を大きく確保でき、実視界の範囲が広くとれる。
【図面の簡単な説明】
【００３２】
【図１】本発明に係る二段変倍双眼鏡を示す断面図であり、図中左半分に低倍率の状態を示し、右半分に高倍率の状態を示す。
【符号の説明】
【００３３】
１０  二段変倍双眼鏡
１１  左鏡筒（左ボディ）
１２  右鏡筒（右ボディ）
２０  引張りばね部材
２６  左移動筒
２７  右移動筒
２８  左フォーカスレンズ
２９  右フォーカスレンズ
３０  光軸
３１  左移動枠
３２  右移動枠
３６  倍率変換ツマミ
４７  連結枠
４８  左倍率変換レンズ
４９  右倍率変換レンズ
【図１】
2005315936.tif 000003